(57)【要約】【課題】カラー通信での差別化【解決手段】カラー通信可能なファクシミリ装置おいて、オプションメモリの装着を検出する手段、受信機から送信機にカラー受信機能の有無を通知する手段を有し、オプションメモリの装着の有無により、受信機から送信機に通知するカラー受信機能の有無を変更する。別な実施形としては、使用可能なメモリ容量を検出する手段を有し、使用可能なメモリ容量により、受信機から送信機に通知するカラー受信機能の有無を変更する。【選択図】        図１
2004179753.tif 000002
【特許請求の範囲】
【請求項１】
カラー通信可能なファクシミリ装置おいて、オプションメモリの装着を検出する手段、受信機から送信機にカラー受信機能の有無を通知する手段を有し、オプションメモリの装着の有無により、受信機から送信機に通知するカラー受信機能の有無を変更する事を特徴とするファクシミリ装置。
【請求項２】
請求項１において、オプションメモリの装着があれば、受信機から送信機にカラー受信機能有りを通知し、オプションメモリの装着がなければ、受信機から送信機にカラー受信機能無しを通知する事を特徴とするファクシミリ装置。
【請求項３】
カラー通信可能なファクシミリ装置おいて、使用可能なメモリ容量を検出する手段を有し、使用可能なメモリ容量により、受信機から送信機に通知するカラー受信機能の有無を変更する事を特徴とするファクシミリ装置。
【請求項４】
請求項３において、使用可能なメモリ容量が所定容量Ａ以上であれば、受信機から送信機にカラー受信機能有りを通知し、使用可能なメモリ容量が所定容量Ａ未満であると、受信機から送信機にカラー受信機能無しを通知する事を特徴とするファクシミリ装置。
【請求項５】
請求項１、２、３、４において、カラー受信機能としては、ＪＰＥＧ受信機能、及び、フルカラー受信機能とする事を特徴とするファクシミリ装置。
【発明の詳細な説明】
【０００１】
【発明の属する技術分野】
本発明は、ファクシミリ装置、特に、両面通信可能なファクシミリ装置に関するものである。
【０００２】
【従来の技術】
従来のファクシミリ装置は、モノクロ情報の原稿を送信していた。
【０００３】
また、最近、カラー原稿の増加に伴い、カラー情報を通信したいというニーズがあり、カラー通信を有するファクシミリ装置の市場導入が盛んである。ここで、このＩＴＵ−Ｔ勧告では、受信機から送信機にカラー情報の受信機能の有無を通知し、また、送信機から受信機にカラー通信であるか否かを通知していた。
【０００４】
【発明が解決しようとする課題】
ここで、カラー受信が可能なファクシミリ装置は、常に、カラー情報の受信が可能な様にファクシミリ装置を設計しなければならなかった。このために、例えば、受信用のメモリとしてカラー情報を受信できる様に、１Ｍｂｙｔｅを確保しておく必要があり、メモリが有効利用されていないという大きな欠点があった。
【０００５】
【課題を解決するための手段】
第１の本発明によれば、カラー通信可能なファクシミリ装置おいて、オプションメモリの装着を検出する手段、受信機から送信機にカラー受信機能の有無を通知する手段を有し、オプションメモリの装着の有無により、受信機から送信機に通知するカラー受信機能の有無を変更する事が可能になった。第２の本発明によれば、第１の本発明において、オプションメモリの装着があれば、受信機から送信機にカラー受信機能有りを通知し、オプションメモリの装着がなければ、受信機から送信機にカラー受信機能無しを通知する事が可能になった。
【０００６】
これらにより、カラー通信可能なファクシミリ装置において、オプションメモリが装着していれば、カラー受信機能有りとして、オプションメモリが装着していなければ、カラー受信機能無しとして、ファクシミリ受信が可能になり、オプションメモリの装着状況に基ずいて、適切なカラー受信機能の有無の送信機への通知が可能になりとても使い易くなった。
【０００７】
第３の本発明によれば、第１、２の本発明において、カラー通信可能なファクシミリ装置おいて、使用可能なメモリ容量を検出する手段を有し、使用可能なメモリ容量により、受信機から送信機に通知するカラー受信機能の有無を変更する事が可能になった。第４の本発明によれば、第３の本発明において、使用可能なメモリ容量が所定容量Ａ以上であれば、受信機から送信機にカラー受信機能有りを通知し、使用可能なメモリ容量が所定容量Ａ未満であると、受信機から送信機にカラー受信機能無しを通知する事が可能になった。
【０００８】
これらにより、ファクシミリ受信が選択された時、使用可能なメモリ容量により、相手送信機にカラー受信機能の有無制御が可能になり、メモリの使用可能な容量が多い時には、カラー受信機能有りを通知し、メモリの使用容量が少ない時には、カラー受信機能無しとして確実にファクシミリ受信が可能になりとても使い易くなった。
【０００９】
第５の本発明によれば、第１、２、３、４の本発明において、カラー受信機能としては、ＪＰＥＧ受信機能、及び、フルカラー受信機能とする事が可能になった。
【００１０】
これにより、受信機から送信機へのカラー受信機能の有無の通知が明確になり設計が容易になった。
【００１１】
【発明の実施の形態】
（実施例１）
以下、図面に示す実施の形態に基ずいて、本発明を詳細に説明する。
【００１２】
図１には、本発明によりファクシミリ装置の実施例がブロック図として図示されている。
【００１３】
２は、ＮＣＵ（網制御装置）で、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【００１４】
４は、電話機である。
【００１５】
６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で復調器８に送るものである。
【００１６】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基ずいた変調及び復調を行う変復調器であり、バス２６の制御により、各伝送モードが指定される。８は、バス２６からの送信信号を入力し、変調データを信号線８ａに出力し、信号線６ａに出力されている受信信号を入力し、復調データをバス２６に出力する。
【００１７】
１０は、発呼回路であり、バス２６からの信号により、電話番号情報を入力し、信号線１０ａにＤＴＭＦの選択信号を出力する。
【００１８】
１２は、加算回路であり、信号線８ａの情報と信号線１０ａの情報を入力し、加算した結果を信号線１２ａに出力する。
【００１９】
１４は、カラー情報を読み取り可能な読取回路であり、読み取りデータをバス２６に出力する。
【００２０】
１６は、カラー情報を記録可能な記録回路であり、バス２６に出力されている情報を順次１ライン毎に記録する。
【００２１】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納するために使用する。また、バス２６を介して、オプションメモリの装着の有無情報が出力される。
【００２２】
２０は、操作部であり、ワンタッチダイヤル、短縮ダイヤル、テンキー、＊キー、＃キー、スタートキー、ストップキー、セットキー、カラー送信選択キー、その他のファンクションキーがあり、押下されたキー情報はバス２６に出力される。
【００２３】
操作部には、表示部があり、バス２６に出力されている情報を入力し、表示する。
【００２４】
２２は、ＣＰＵ（中央処理装置）であり、ファクシミリ全体の制御をしたり、ファクシミリ伝送制御手順を実行するが、その制御プログラムは、ＲＯＭ２４に格納される。
【００２５】
２６は、バスである。
【００２６】
２４は、カラー通信可能なファクシミリ装置おいて、オプションメモリの装着を検出する手段、受信機から送信機にカラー受信機能の有無を通知する手段を有し、オプションメモリの装着の有無により、受信機から送信機に通知するカラー受信機能の有無を変更する。具体的には、オプションメモリの装着があれば、受信機から送信機にカラー受信機能有りを通知し、オプションメモリの装着がなければ、受信機から送信機にカラー受信機能無しを通知する。ここで、カラー受信機能としては、ＪＰＥＧ受信機能、及び、フルカラー受信機能とする。
【００２７】
以上の制御プログラムが格納されている。
【００２８】
図２、図３、図４、図５には、図１の制御の流れ図が図示されている。
【００２９】
図２において、Ｓ０は、始めを表している。
【００３０】
Ｓ２は、バス２６を介して、メモリ１８をイニシャライズする事を表している。
【００３１】
Ｓ４は、バス２６を介して、操作部の表示部をクリアする事を表している。
【００３２】
Ｓ６では、バス２６を介してＮＣＵ２のＣＭＬをオフする。
【００３３】
Ｓ８では、ファクシミリ受信が選択されたか否かが判断されＹＥＳであるとＳ１４に進み、ＮＯであるとＳ１０に進む。
【００３４】
Ｓ１０では、ファクシミリ送信が選択されたか否かが判断されＹＥＳであるとＳ３２に進み、ＮＯであるとＳ１２に進み、その他の処理をする。
【００３５】
Ｓ１４では、バス２６を介して、ＮＣＵ２のＣＭＬをオンする。
【００３６】
Ｓ１６は、バス２６を介して、オプションメモリの装着があるか否かが、判断され、ＹＥＳであるとＳ１８に進み、ＮＯであるとＳ３０に進む。
【００３７】
Ｓ１８は、前手順を表している。ここで、ＪＰＥＧ受信機能有り、フルカラー受信機能有りを通知する。
【００３８】
Ｓ２０では、送信機より、ＪＰＥＧ通信、かつ、フルカラー通信が指定されたか否かが判断され、ＹＥＳであるとＳ２２に進み、ＮＯであるとＳ２６に進む。
【００３９】
Ｓ２２は、カラー画信号の受信、記録を表している。
【００４０】
Ｓ２４は、後手順を表している。
【００４１】
Ｓ２６は、モノクロ画信号の受信、記録を表している。
【００４２】
Ｓ２８は、後手順を表している。
【００４３】
Ｓ３０は、前手順を表している。ここで、ＪＰＥＧ受信機能無し、フルカラー受信機能無しを通知する。
【００４４】
Ｓ３２では、バス２６を介して、ＮＣＵ２のＣＭＬをオンする。
【００４５】
Ｓ３４は、バス２６を介して、発呼回路を使用して、指定された宛先へ発呼する事を表している。
【００４６】
Ｓ３６では、バス２６を介して操作部の情報を入力して、カラー送信が選択されているか否かが判断され、ＹＥＳであるとＳ３８に進み、ＮＯであるとＳ４０に進む。ここで、カラー送信はオプションメモリが無くても実行する事がポイントである。
【００４７】
Ｓ３８は前手順を表している。
【００４８】
Ｓ４０は前手順を表している。
【００４９】
Ｓ４２では、受信機にＪＰＥＧ受信機能があり、かつ、フルカラー受信機能があるか否かが判断され、ＹＥＳであるとＳ４４に進み、ＮＯであるとＳ５０に進む。
【００５０】
Ｓ４４は、残りの前手順を表している。ここで、ＪＰＥＧ送信を指定し、また、フルカラー送信を指定する。
【００５１】
Ｓ４６は、画信号のカラー読み取り、カラー送信を表している。
【００５２】
Ｓ４８は後手順を表している。
【００５３】
Ｓ５０は、残りの前手順を表している。ここで、ＪＰＥＧ送信を指定しないで、また、フルカラー送信を指定しない。
【００５４】
Ｓ５２は、画信号のモノクロ読み取り、モノクロ送信を表している。
【００５５】
Ｓ５４は後手順を表している。
【００５６】
（実施例２）
カラー通信可能なファクシミリ装置おいて、使用可能なメモリ容量を検出する手段を有し、使用可能なメモリ容量により、受信機から送信機に通知するカラー受信機能の有無を変更する。具体的には、使用可能なメモリ容量が所定容量Ａ以上であれば、受信機から送信機にカラー受信機能有りを通知し、使用可能なメモリ容量が所定容量Ａ未満であると、受信機から送信機にカラー受信機能無しを通知する。
【００５７】
図６には、第１の実施例の制御の流れ図（図２、図３、図４、図５）に対して、異なる部分の制御の流れ図が図示されている。
【００５８】
図６において、Ｓ６０は、Ｓ１４を表している。
【００５９】
Ｓ６２では、使用可能なメモリ容量は、１Ｍｂｙｔｅ以上であるか否かが判断され、ＹＥＳであるとＳ６４（Ｓ１８）に進み、ＮＯであると、Ｓ６６（Ｓ３０）に進む。
【００６０】
ここで、Ｓ３６にて使用可能なメモリ容量をチェックしていないのが、ポイントであり、送信時は、使用可能なメモリ容量をチェックせずにカラーファクシミリ送信を実行する。
【００６１】
【発明の効果】
第１、２の本発明によれば、カラー通信可能なファクシミリ装置において、オプションメモリが装着していれば、カラー受信機能有りとして、オプションメモリが装着していなければ、カラー受信機能無しとして、ファクシミリ受信が可能になり、オプションメモリの装着状況に基ずいて、適切なカラー受信機能の有無の送信機への通知が可能になりとても使い易くなった。
【００６２】
第３、４の本発明によれば、ファクシミリ受信が選択された時、使用可能なメモリ容量により、相手送信機にカラー受信機能の有無制御が可能になり、メモリの使用可能な容量が多い時には、カラー受信機能有りを通知し、メモリの使用容量が少ない時には、カラー受信機能無しとして確実にファクシミリ受信が可能になりとても使い易くなった。
【００６３】
第５の本発明によれば、受信機から送信機へのカラー受信機能の有無の通知が明確になり設計が容易になった。
【図面の簡単な説明】
【図１】本発明によるファクシミリ装置の実施例のブロック図。
【図２】本発明による制御の流れ図。
【図３】本発明による制御の流れ図。
【図４】本発明による制御の流れ図。
【図５】本発明による制御の流れ図。
【図６】本発明による制御の流れ図。
【符号の説明】
２  ＮＣＵ
４  電話機
６  ハイブリッド回路
８  変復調器
１０  発呼回路
１２  加算回路
１４  読み取り回路
１６  記録回路
１８  メモリ回路
２０  操作部
２２  ＣＰＵ
２４  ＲＯＭ
２６  バス
【図１】
2004179753.tif 000003
【図２】
2004179753.tif 000004
【図３】
2004179753.tif 000005
【図４】
2004179753.tif 000006
【図５】
2004179753.tif 000007
【図６】
2004179753.tif 000008